(57)【要約】【課題】機能を保持した状態で形状をコンパクトにすることが可能な、取り付け部材を使用した薄型表示装置を提供する。【解決手段】薄型表示装置１００は、壁掛け用金具と表示パネルとの間に介在するよう表示パネル及び壁掛け用金具とに固定される取り付け部材３０を有する。取り付け部材３０は、表示パネルにねじ止めされるねじ部品のねじ部が貫通する少なくとも１つ以上の貫通穴により形成された第１及び第２の貫通部位と、同取り付け部材の水平方向における端部を切り起こして形成した板状部位であって、壁掛け用金具を固定するための雌ねじ部を備える金具固定片とを有している。【選択図】図２
2009265223.tif 000002
【特許請求の範囲】
【請求項１】
背面側に壁掛け用金具を固定し、壁側に固定された金具本体に、前記壁掛け用金具を係合させて壁に取り付け可能な薄型表示装置であって、
映像を表示するための機能を備える厚みの薄い表示パネルと、
前記壁掛け用金具と前記表示パネルとの間に介在するよう前記表示パネル及び前記壁掛け用金具とに固定される取り付け部材とを有し、
前記表示パネルにおける高さ方向を垂直方向とし、同表示パネルにおける幅方向を水平方向とした場合、
前記取り付け部材は、
前記表示パネルにねじ止めされるねじ部品のねじ部が貫通する少なくとも１つ以上の貫通穴により形成された第１及び第２の貫通部位と、同取り付け部材の水平方向における端部を切り起こして形成した板状部位であって、前記壁掛け用金具を固定するための雌ねじ部を備える金具固定片とを有し、
前記第１の貫通部位の貫通穴と第２の貫通部位の貫通穴とは、前記雌ねじ部の中心を通る１つの線分に対して対称となるよう形成されており、
前記表示パネルを背面側から見た場合に、前記表示パネルの背面側の右側に、２個の前記取り付け部材を前記第１の貫通部位を貫通したねじ部品を用いて垂直方向に配列させて固定し、
前記表示パネルの背面側の左側に、２個の前記取り付け部材を、前記表示パネルの背面側の右側に固定された前記取り付け部材の固定された向きに対してその固定する向きを水平方向に反転させて、前記第２の貫通部位を貫通したねじ部品を用いて垂直方向に配列させて固定することを特徴とする薄型表示装置。
【請求項２】
前記取り付け部材は、
略矩形状であって、薄板状の基部と、
前記基部の一端からクランク状に屈曲しつつ延設した第１の端部と、
前記基部における前記第１の端部と反端側の端部からクランク状に屈曲しつつ延設した第２及び第３の端部とを有し、
前記金具固定片は、前記第２及び第３の端部の間から切り起こされて形成されており、  前記第１及び第２の貫通部位とは、前記基部における前記第１の端部が形成された側の縁部に形成された貫通穴と、前記第２及び第３の端部に形成された貫通穴とで構成されることを特徴とする請求項１に記載の薄型表示装置。
【請求項３】
前記表示パネルの背面側には、前記取り付け部材を位置決めするための位置決め突起が形成され、
前記取り付け部材には、前記位置決め突起が挿入する位置決め穴が形成され、
前記取り付け部材は、前記位置決め穴に前記位置決め突起を挿入して前記表示パネルの背面側に位置決めされることを特徴とする請求項１又は請求項２のいずれかに記載の薄型表示装置。
【請求項４】
前記表示パネルの駆動を制御する機能を備える制御基板をその厚み方向が前記表示パネルと同じなるように固定する基板フレームを有し、
前記基板フレームは、前記表示パネルの背面側に取り付けられた前記取り付け部材に固定されることを特徴とする請求項１又は請求項２のいずれかに記載の薄型表示装置。
【請求項５】
前記表示パネルの下方から延設するよう同表示パネルに取り付けられる脚部フレームを有し、
前記脚部フレームは、前記表示パネルの背面側の下側に取り付けられた前記取り付け部材に固定されることを特徴とする請求項３に記載の薄型表示装置。
【請求項６】
前記表示パネルの駆動を制御する機能を備える制御基板をその厚み方向が前記表示パネルと同じなるように固定する基板フレームと、
前記表示パネルの背面側には、前記取り付け部材を位置決めするための位置決め突起が形成され、
前記取り付け部材は、略矩形状であって、薄板状の基部と、前記基部の一端からクランク状に屈曲しつつ延設した第１の端部と、前記基部における前記第１の端部と反端側の端部からクランク状に屈曲しつつ延設した第２及び第３の端部とを有し、
前記金具固定片は、前記第２及び第３の端部の間に切り起こされて形成されており、
前記第１及び第２の貫通部位とは、前記基部における前記第１の端部が形成された側の縁部に形成された貫通穴と、前記第２及び第３の端部に形成された貫通穴とで構成され、  前記基部には、前記位置決め突起が挿入する位置決め穴が形成され、
前記取り付け部材は、前記位置決め穴に前記位置決め突起を挿入して前記表示パネルの背面側に位置決めされ、
前記基板フレームは、前記表示パネルの背面側に取り付けられた４つの前記取り付け部材における前記第１の端部にねじ止めされ、
前記脚部フレームは、前記表示パネルの背面側の下側に取り付けられた２つの前記取り付け部材の前記第１の端部に固定されることを特徴とする請求項１に記載の薄型表示装置。
【発明の詳細な説明】
【技術分野】
【０００１】
本発明は、薄型表示装置に関し、特に壁掛け用金具を用いて壁に取り付けることが可能な薄型表示装置に関するものである。
【背景技術】
【０００２】
従来、液晶パネルや、プラズマパネル等を利用した薄型表示装置が知られている。薄型表示装置はその厚みが薄いため、壁掛け用金具を用いて壁に取り付けることができる。
【０００３】
壁掛け用金具としてのユニバーサルマウントをフラットパネルディスプレイの背面側に固定し、フラットパネルディスプレイ１０を壁に取り付ける技術が開示されている（例えば、特許文献１参照）。
【０００４】
テレビ本体の背面側に壁掛け用金具としての軸部をブラケットを介して固定し、壁に取り付けられたベース板から延設した軸受け部に前記軸部を係合させて、テレビ本体をベース板を介して壁に取り付ける技術が開示されている（例えば、特許文献２参照）。
【０００５】
また、表示装置の背面に装置側取り付け部材を固定し、この装置側取り付け部材を壁に固定することにより表示装置を壁に固定する技術が開示されている（例えば、特許文献３参照）。
【０００６】
そして、ねじ等の固定部材を用いて壁掛け用金具を取り付けるものではないが、平面ディスプレイの背面に回動可能に係止部を形成し、この係止部を壁に取り付けられた壁掛け用フックに係止させて、平面ディスプレイを壁に固定する技術が開示されている。
【特許文献１】特開２０００−２０６９０１号公報
【特許文献２】特開２００７−３３５９２９号公報
【特許文献３】特開２００７−２８６３０９号公報
【特許文献４】特開平９−１２７８８２号公報
【発明の開示】
【発明が解決しようとする課題】
【０００７】
図８は、一例としての壁掛け用金具を固定した薄型表示装置の内部を説明する側面図である。薄型表示装置１の背面側に壁掛け用金具２をねじ部品等の固定部材を用いて固定する場合、従来では、薄型表示装置の背面側に取り付け部材３を固定し、この取り付け部材３を介して壁掛け用金具２を薄型表示装置１に取り付けていた。取り付け部材３は、壁掛け用金具２と一体となって、薄型表示装置１を支持するため、加重に耐えることができるようその形状が大型であった。そのため、取り付け部材３を生産するための設備が大きくなってしまう場合もあった。例えば、取り付け部材３を曲げ加工等により生産する場合は、金型や、金型を用いて曲げ加工を行なうプレス機等が大きくなり、生産コストが高くなっていた。
【０００８】
本発明は、上記課題に鑑みてなされたもので、その機能を保持した状態で形状をコンパクトにすることが可能な、取り付け部材を使用した薄型表示装置を提供する。
【課題を解決するための手段】
【０００９】
上記課題を解決するために、本発明の一局面として、背面側に壁掛け用金具を固定し、壁側に固定された金具本体に、前記壁掛け用金具を係合させて壁に取り付け可能な薄型表示装置であって、映像を表示するための機能を備える厚みの薄い表示パネルと、前記壁掛け用金具と前記表示パネルとの間に介在するよう前記表示パネル及び前記壁掛け用金具とに固定される取り付け部材とを有し、前記表示パネルにおける高さ方向を垂直方向とし、同表示パネルにおける幅方向を水平方向とした場合、前記取り付け部材は、前記表示パネルにねじ止めされるねじ部品のねじ部が貫通する少なくとも１つ以上の貫通穴により形成された第１及び第２の貫通部位と、同取り付け部材の水平方向における端部を切り起こして形成した板状部位であって、前記壁掛け用金具を固定するための雌ねじ部を備える金具固定片とを有し、前記第１の貫通部位の貫通穴と第２の貫通部位の貫通穴とは、前記雌ねじ部の中心を通る１つの線分に対して対称となるよう形成されており、前記表示パネルを背面側から見た場合に、前記表示パネルの背面側の右側に、２個の前記取り付け部材を前記第１の貫通部位を貫通したねじ部品を用いて垂直方向に配列させて固定し、前記表示パネルの背面側の左側に、２個の前記取り付け部材を前記表示パネルの背面側の右側に固定された前記取り付け部材の固定された向きに対して水平方向に反転させて、前記第２の貫通部位を貫通したねじ部品を用いて垂直方向に配列させて固定する構成としてある。
【００１０】
上記のように構成された発明では、取り付け部材は、壁掛け用金具と表示パネルとの間に介在するよう前記表示パネル及び前記壁掛け用金具とに固定されている。表示パネルにおける高さ方向を垂直方向とし、同表示パネルにおける幅方向を水平方向とした場合、取り付け部材は、表示パネルにねじ止めされるねじ部品のねじ部が貫通する少なくとも１つ以上の貫通穴により形成された第１及び第２の貫通部位と、同取り付け部材の水平方向における端部を切り起こして形成した板状部位であって、壁掛け用金具を固定するための雌ねじ部を備える金具固定片とを有している。そして、第１の貫通部位の貫通穴と第２の貫通部位の貫通穴とは、雌ねじ部の中心を通る１つの線分に対して対称となるよう形成されている。さらに、表示パネルを背面側から見た場合に、表示パネルの背面側の右側に、２個の取り付け部材を第１の貫通部位を貫通したねじ部品を用いて垂直方向に配列させて固定し、表示パネルの背面側の左側に、２個の取り付け部材を表示パネルの背面側の右側に固定された取り付け部材の固定された向きに対して水平方向に反転させて、第２の貫通部位を貫通したねじ部品を用いて垂直方向に配列させて固定する。
【００１１】
そのため、取り付け部材は、水平方向に配列させて表示パネルの背面側に取り付けるため、その大きさを小さくすることができる。更に、取り付け部材を水平方向で反転させて使用することで表示パネルの左右で同じものを使用することができるため、左右の取り付け部材を生産するための個別の生産設備が必要がなくなり、生産コストを下げることができる。
【００１２】
好ましくは、前記取り付け部材は、略矩形状であって、薄板状の基部と、前記基部の一端からクランク状に屈曲しつつ延設した第１の端部と、前記基部における前記第１の端部と反端側の端部からクランク状に屈曲しつつ延設した第２及び第３の端部とを有し、前記金具固定片は、前記第２及び第３の端部の間から切り起こされて形成されており、前記第１及び第２の貫通部位とは、前記基部における前記第１の端部が形成された側の縁部に形成された貫通穴と、前記第２及び第３の端部に形成された貫通穴とで構成される。
上記のように構成された発明では、取り付け部材の一部をクランク状に屈曲させて形成することにより、取り付け部材に負荷される加重に対する強度を高めることができる。
【００１３】
好ましくは、前記表示パネルの背面側には、前記取り付け部材を位置決めするための位置決め突起が形成され、前記取り付け部材には、前記位置決め突起が挿入する位置決め穴が形成され、前記取り付け部材は、前記位置決め穴に前記位置決め突起を挿入して前記表示パネルの背面側に位置決めされる。
上記のように構成された発明では、取り付け部材を表示パネルの背面側に位置決めする際、位置決めを行い易くすることができる。
【００１４】
好ましくは、前記表示パネルの駆動を制御する機能を備える制御基板をその厚み方向が前記表示パネルと同じなるように固定する基板フレームを有し、前記基板フレームは、前記表示パネルの背面側に取り付けられた前記取り付け部材に固定される。
上記のように構成された発明では、取り付け部材を基板フレームを取り付けるための部材として流用することができ、薄型表示装置をさらにコンパクトにすることができる。
【００１５】
好ましくは、前記表示パネルの下方から延設するよう同表示パネルに取り付けられる脚部フレームを有し、前記脚部フレームは、前記表示パネルの背面側における下側に取り付けられた前記取り付け部材に固定される。
上記のように構成された発明では、取り付け部材を脚部フレームを取り付けるための部材として流用することができ、薄型表示装置をさらにコンパクトにすることができる。
【００１６】
本発明の他の局面として、前記表示パネルの駆動を制御する機能を備える制御基板をその厚み方向が前記表示パネルと同じなるように固定する基板フレームと、前記表示パネルの下方から延設するよう同表示パネルに取り付けられる脚部フレームとを有し、前記表示パネルの背面側には、前記取り付け部材を位置決めするための位置決め突起が形成され、前記取り付け部材は、略矩形状であって、薄板状の基部と、前記基部の一端からクランク状に屈曲しつつ延設した第１の端部と、前記基部における前記第１の端部と反端側の端部からクランク状に屈曲しつつ延設した第２及び第３の端部とを有し、前記金具固定片は、前記第２及び第３の端部の間に切り起こされて形成されており、前記第１及び第２の貫通部位とは、前記基部における前記第１の端部が形成された側の縁部に形成された貫通穴と、前記第２及び第３の端部に形成された貫通穴とで構成され、前記基部には、前記位置決め突起が挿入する位置決め穴が形成され、前記取り付け部材は、前記位置決め穴に前記位置決め突起を挿入して前記表示パネルの背面側に位置決めされ、前記基板フレームは、前記表示パネルの背面側に取り付けられた４つの前記取り付け部材の前記第１の端部にねじ止めされ、前記脚部フレームは、前記表示パネルの背面側の下側に取り付けられた２つの前記取り付け部材の前記第１の端部にねじ止めされる。
【発明の効果】
【００１７】
以上説明したように本発明によれば、機能を保持した状態で形状をコンパクトにすることが可能な、取り付け部材を使用した薄型表示装置を提供することができる。
また請求項２にかかる発明によれば、加重に対する強度を高めることができる
そして請求項３にかかる発明によれば、取り付け部材を表示パネルの背面側に位置決めする際、位置決めを行い易くすることができる。
さらに請求項４，５にかかる発明によれば、薄型表示装置をよりコンパクトにすることができる。
さらに請求項６のような、より具体的な構成において、上述した請求項１〜請求項５の各発明と同様の作用を奏することはいうまでもない。
【発明を実施するための最良の形態】
【００１８】
以下、下記の順序に従って本発明の実施形態を説明する。
１．第１の実施の形態：
（１）本発明の概要：
（２）薄型表示装置の構成：
（３）取り付け部材の構成：
（４）取り付け部材の取り付け方法：
２．その他の実施の形態：
【００１９】
１．第１の実施の形態：
（１）本発明の概要
図１は、薄型表示装置を壁掛け用金具を用いて固定する状態の一例を示す斜視図である。薄型表示装置１００は、厚みの薄いディスプレイ９０の背面側に固定された壁掛け用金具２２０を、壁側に取り付けられた金具本体２１０に係合させて固定される。具体的には、ディスプレイ９０の背面に壁掛け用金具２２０を固定した状態で、壁掛け用金具２２０のフック部２２１を金具本体２１０の受け部２１１に係合させることで、薄型表示装置１００を壁に固定させることができる。
【００２０】
図２は、ディスプレイの背面側に取り付けられる壁掛け用金具を説明する斜視図である。本発明に係る薄型表示装置１００では、壁掛け用金具２２０は取り付け部材３０を用いてディスプレイ９０の背面側に固定される。取り付け部材３０は、ディスプレイ９０の背面側と壁掛け用金具２２０との間に介在するよう、表示パネル７０及び壁掛け用金具２２０とにねじ止めされて固定される。
【００２１】
（２）薄型表示装置の構成：
図３は、薄型表示装置１００を一部を切断しつつ側面から見た内部を説明する内部端面図である。ディスプレイ９０は、筺体８０により外観を覆われている。筺体８０はその前面側を構成するフロントキャビネット８１と、筺体８０の背面側を構成するリアキャビネット８２とで構成されている。フロントキャビネット８１及びリアキャビネット８２とを前後に組み合わせて形成される筺体８０内部には、映像を表示する機能を備える表示パネル７０と、表示パネル７０に映像信号等の所定の入力を行なう機能を有する制御基板６０と、制御基板６０を表示パネル７０の背面側にねじ止めするための機能を備える基板フレーム５０と、ディスプレイ９０の自立を支持するための機能を備えるスタンドと一体となって形成される脚部フレーム４０を備えている。また、取り付け部材３０は、表示パネル７０の背面側にねじ止めされて、リアキャビネット８２越しに、壁掛け用金具２２０をねじ止めするよう配置されている。
【００２２】
（３）取り付け部材の構成：
図４は、取り付け部材３０を示す斜視図である。また、図５は、取り付け部材を示す上面図である。
取り付け部材３０は、表示パネル７０にねじ止めされる際にねじ部品のねじ部が貫通する第１及び第２の貫通部位３５，３６と、壁掛け用金具２２０をねじ止めするための金具固定片３７とを備えている。更に、取り付け部材３０は、表示パネル７０に、基板フレーム５０や、脚部フレーム４０を固定するための機能を備える第１の端部３２を有している。
なお、以下、垂直方向とは、取り付け部材３０が表示パネル７０の背面側に取り付けられた場合における、表示パネル７０の高さ方向であり、水平方向とは、上記状態での表示パネル７０の幅方向と定義する。
【００２３】
取り付け部材３０は、略矩形状の基部３１と、この基部３１の一端からクランク状に屈曲しつつ延設した第１の端部３２と、基部３１における第１の端部３２と反対側の端部からクランク状に屈曲しつつ延設した第２及び第３の端部３３，３４とを備えている。また、金具固定片３７は、第２の端部３３と第３の端部３４との間に位置する端部を切り起こして形成した板状部位であって、前記壁掛け用金具を固定するための雌ねじ部３７ａを備えている。取り付け部材３０の水平方向両端にクランク状の第１の端部３２及び第２及び第３の端部３３，３４と形成することで、取り付け部材３０に負荷される加重に対しても応力を高めることができる。
【００２４】
図５に示すように、第１の貫通部位３６及び第２の貫通部位を形成する貫通穴は、金具固定片３７の雌ねじ部３７ａの中心を通る１つの線分に対して対称となるよう形成されている。取り付け部材３０の基部３１には、その垂直方向における上部と下部に中心線Ａを中心として対称となるよう第１の貫通部位３５の構成要素である貫通穴３５ａと、第２の貫通部位３６の構成である貫通穴３６ａとが形成されている。また、第２及び第３の端部３３，３４における垂直方向の上部及び下部にも、中心線Ａを中心として対称になるよう第１の貫通部位３５の構成要素である貫通穴３５ｂと、第２の貫通部位３６の構成要素である貫通穴３６ｂとが形成されている。
更に、基部３１の角部には、中心線Ａを中心として対称となるよう一組の位置決め穴３８，３８が形成されている。この位置決め穴３８，３８には、表示パネル７０側に形成された位置決め突起（後述）が挿入して、取り付け部材３０を表示パネル７０に位置決めするためのものである。
【００２５】
金具固定片３７は、壁掛け用金具２２０をリアキャビネット８２越しに表示パネル７０の背面側に固定するための機能を備えている。金具固定片３７は、第２及び第３の端部３３，３４における垂直方向の中央付近を切り起こすとともに、切り起こされた板状部位の先端部を略垂直に曲げ加工して形成されている。また、金具固定片３７の垂直に曲げられた先端部に形成された雌ねじ部３７ａは、先端部に貫通穴を形成するとともに、同貫通穴の中心に、ナット部品の雌ねじ部の開口中心を合わせるように先端部に接合して形成される。
なお、雌ねじ部３７ａの形成方法としては、これに限定されず、バーリング加工を用いて雌ねじ部３７ａを形成するものであってもよい。
【００２６】
（４）取り付け部材の取り付け方法：
以下に、取り付け部材３０の使用方法を説明する。本発明に係る薄型表示装置１００では、同一形状の取り付け部材３０をその向きを反転させつつ表示パネル７０の背面側に固定する。具体的には、表示パネル７０を背面側から見た場合に、表示パネル７０の背面側の右側に、２個の取り付け部材３０を垂直方向に配列させて固定し、表示パネルの背面側の左側に、２個の取り付け部材３０を表示パネル７０の背面側の右側に固定された取り付け部材３０の固定された向きに対してその取り付け向きを水平方向に反転させて、垂直方向に配列させて固定する。そのため、例えば、１つの薄型表示装置に対して左右で同一形状の取り付け部材３０を使用すればよく、表示パネル７０の右側又は左側で異なる取り付け部材３０を用いる必要がないため、取り付け部材３０を生産するための金型等の設備を少なくすることができる。
【００２７】
図６は、表示パネル７０の背面側に取り付け部材、基板フレーム、及び脚部フレームを取り付ける方法を説明する図である。図７は、図６（ａ）におけるＢ−Ｂ線で切断して示す断面図である。まず、表示パネル７０の背面側における図中右側に、取り付け部材３０を配置する。更に、表示パネル７０の背面側における図中左側に、取り付け部材３０，３０を配置する。このとき、表示パネル７０の背面側における図中左側に配置される取り付け部材３０は、表示パネル７０の右側に固定された取り付け部材３０の固定された向きに対しその向きを水平方向に反転させて配置される。
【００２８】
更に、図７に示すように、取り付け部材３０，３０の第１の端部３２の裏面側におけるクランク状に屈曲した側面３２ｂを表示パネル７０の背面側から突設した位置決め部位７１，７１に面接触させつつ、位置決め穴３８，３８に表示パネル７０の背面側から突設した突起７２，７２を挿入させて、取り付け部材３０を表示パネル７０に位置決めする。次に、表示パネル７０に位置決めされた取り付け部材３０，３０を、第１及び第２の貫通部位３５，３６の貫通穴３５ａ，３５ｂ，３６ａ，３６ｂを貫通させたねじ部品を用いて表示パネル７０にねじ止めする。
【００２９】
同様に、表示パネル７０の背面側における下方に、取り付け部材３０をその取り付け方向を水平方向に反転させつつ取り付ける。
なお、表示パネル７０の下側に固定される取り付け部材３０，３０の表示パネル７０への位置決め方法は、表示パネル７０の右側に固定される取り付け部材３０，３０と同様であるため、省略する。
【００３０】
次に、図６（ｂ）に示すように、表示パネルの背面側に固定された取り付け部材３０，３０，３０，３０に基板フレーム５０をねじ止めする。具体的には、第１の端部３２に形成された貫通穴３５ａを用いて取り付け部材３０に基板フレーム５０を供締めする。
【００３１】
そして、表示パネル７０の背面側の下方に固定された取り付け部材３０，３０に脚部フレーム４０をねじ止めする。具体的には、第１の端部３２に形成された貫通穴３２ａを用いて取り付け部材３０に脚部フレーム４０を供締めする。
なお、脚部フレーム４０及び基板フレーム５０を表示パネル７０に取り付けるために、取り付け部材３０を流用することにより、脚部フレーム４０及び基板フレーム５０を取り付けるための部材を抹消することで部品点数を減らすことができ、薄型表示装置１００をコンパクトにしつつ計量化することができる。
【００３２】
その後、基板フレーム５０に制御基板６０を固定し、表示パネル７０にフロントキャビネット８１及びリアキャビネット８２をねじ止めすることで、薄型表示装置１００は完成される。
【００３３】
２．その他の実施の形態：
本発明に係る第１の実施の形態では、取り付け部材３０の外周形状は一端が開口したコ字状であったが、取り付け部材３０の形状はこれに限定されない。具体的には、第１の貫通部位３５と第２の貫通部位３６とが、雌ねじ部３７ａの中心を通過する線分に対して対称となるよう配置されていればよいため、取り付け部材３０の外周形状はコ字状に限定されるものではない。
【００３４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３５】
【図１】薄型表示装置を壁掛け用金具を用いて固定する状態の一例を示す斜視図である。
【図２】ディスプレイの背面側に取り付けられる壁掛け用金具を説明する斜視図である。
【図３】薄型表示装置１００を一部を切断しつつ側面から見た内部を説明する内部端面図である。
【図４】取り付け部材３０を示す斜視図である。
【図５】取り付け部材を示す上面図である。
【図６】表示パネル７０の背面側に取り付け部材、基板フレーム、及び脚部フレームを取り付ける方法を説明する図である。
【図７】図６（ａ）におけるＢ−Ｂ線で切断して示す断面図である。
【図８】一例としての壁掛け用金具を固定した薄型表示装置の内部を説明する側面図である。
【符号の説明】
【００３６】
３０…付け部材、３１…基部、３２…第１の端部、３３…第２の端部、３４…第３の端部、３５…第１の貫通部位、３６…第２の貫通部位、３７…金具固定片、３８…位置決め穴、４０…脚部フレーム、５０…基板フレーム、６０…制御基板、７０…表示パネル、８０…筺体、８１…フロントキャビネット、８２…リアキャビネット、９０…ディスプレイ、１００…薄型表示装置、２１０…金具本体、２２０…壁掛け用金具  
【図１】
2009265223.tif 000003
【図２】
2009265223.tif 000004
【図３】
2009265223.tif 000005
【図４】
2009265223.tif 000006
【図５】
2009265223.tif 000007
【図６】
2009265223.tif 000008
【図７】
2009265223.tif 000009
【図８】
2009265223.tif 000010